(57)【特許請求の範囲】
【請求項１】
信号源により供給される情報信号を、記録の開始時に情報信号の一部が失われることなく、記録担体に記録する装置であって、
情報信号を処理して記録情報信号を供給する処理手段と、
起動情報及び待ち情報を供給する入力手段と、
前記処理手段の少なくとも一部及び前記入力手段と協動する作動手段と
を有し、前記作動手段により記録情報信号の前記記録担体への記録を起動情報の発生に依存させて実行することが可能であると共に、前記作動手段により記録情報信号の一時記憶部への連続的な重ね書き記憶を少なくとも待ち情報の発生に依存させて実行することが可能な装置において、
前記記録担体の任意に指定可能な領域を一時記憶部として選択することができ、
前記作動手段は、記録情報信号の前記記録担体における一時記憶部として選択された領域内への連続的重ね書き記憶を、待ち情報の発生に依存させて開始するよう構成され、
前記作動手段は、記録情報信号の前記記録担体における一時記憶部として選択された領域内への連続的重ね書き記憶を、起動情報の発生に依存させて停止するよう構成され、
前記作動手段は、情報信号パケットとアドレス信号パケットとを含む記録情報信号を発生し及び記録するように構成され、
前記情報信号パケットは前記情報信号に対応し、
前記アドレス信号パケットはアドレス情報を含み、該アドレス情報により、前記記録担体における一時記憶部として選択された領域に記録された情報信号パケットと前記記録担体における他の領域に記録された情報信号パケットとの再生の間に、これら再生された情報信号パケットの時間順序をこれら情報信号パケットを連結する目的で規定することができる、
ことを特徴とする装置。
【請求項２】
請求項１に記載の装置において、
前記作動手段は連結アドレス情報のうちの少なくとも１つの項目を待ち情報に後続する起動情報の発生に依存させて発生し及び記録するように構成され、
前記連結アドレス情報のうちの少なくとも１つの項目により、前記記録担体に記録された情報信号パケットの再生の間に、前記記録担体における一時記憶部として選択された領域から再生される情報信号パケットと他の再生される情報信号パケットとを適切な時間順序で連結することができ、
前記連結アドレス情報のうちの少なくとも１つの項目により、前記記録担体に起動情報の発生に依存して記録される最初の情報信号パケットを、再生の間に、前記記録担体における一時記憶部として選択された前記領域に記録された最後の情報信号パケットの後に連結することができる、
ことを特徴とする装置。
【請求項３】
請求項２に記載の装置において、前記作動手段は連結アドレス情報のうちの少なくとも１つの項目を発生し及び記録するように構成され、該項目により、再生の間に、前記記録担体における一時記憶部として選択された領域に記録された情報信号パケットを、待ち情報の発生の直前に前記記録担体に記録された情報信号パケットの後に連結することができることを特徴とする装置。
【請求項４】
請求項３に記載の装置において、前記作動手段は連結アドレス情報のうちの少なくとも１つの項目を発生し及び記録するように構成され、該項目により、再生の間に、前記記録担体における一時記憶部として選択された領域に記録され、且つ、前記連続的な重ね書き記憶の終了の際に前記記録担体における一時記憶部として選択された領域に重ね書きされるべき次の情報信号パケットとして配置されている情報信号パケットを、待ち情報の発生の直前に前記記録担体に記録された情報信号パケットの後に連結することができることを特徴とする装置。
【請求項５】
請求項３に記載の装置において、前記作動手段は連結アドレス情報のうちの少なくとも１つの項目を発生し及び記録するように構成され、該項目により、再生の間に、前記記録担体における一時記憶部として選択された領域に記録され、且つ、前記連続的な重ね書き記憶の終了の際に前記記録担体における一時記憶部として選択された領域に記録された最後の情報信号パケットの前の或る距離に配置される情報信号パケットを、待ち情報の発生の直前に前記記録担体に記録された情報信号パケットの後に連結することができることを特徴とする装置。
【請求項６】
請求項２に記載の装置において、前記作動手段は前記記録担体に記録されたアドレス情報を連結アドレス情報により重ね書きするように構成されていることを特徴とする装置。
【請求項７】
請求項１に記載の装置において、前記作動手段は、前記記録担体における、待ち情報の発生の直前に情報信号パケットが記録された前記記録担体の領域に直に隣接する領域を一時記憶部として選択するように構成されていることを特徴とする装置。
【請求項８】
請求項１に記載の装置において、前記作動手段は記録担体としてのランダムアクセスメモリ又は準ランダムアクセスメモリと協動するように構成されていることを特徴とする装置。
【請求項９】
請求項１に記載の装置において、当該装置が組込型記録担体を有していることを特徴とする装置。
【請求項１０】
請求項１に記載の装置において、記録担体を保持することができる保持手段を備え、該保持手段から保持された記録担体を再び取り除くことができることを特徴とする装置。
【請求項１１】
請求項１０に記載の装置において、前記保持手段は保護担体内に収容された固体メモリを記録担体として保持するように構成されていることを特徴とする装置。
【請求項１２】
請求項１０に記載の装置において、前記保持手段は光学的に走査されるディスクを記録担体として保持するように構成されていることを特徴とする装置。
【請求項１３】
請求項１０に記載の装置において、前記保持手段は磁気的に走査されるディスクを記録担体として保持するように構成されていることを特徴とする装置。
【請求項１４】
請求項１０に記載の装置において、前記保持手段は磁気テープを記録担体として収容する磁気テープカセットを保持するように構成されていることを特徴とする装置。
【請求項１５】
請求項１に記載の装置において、当該装置がビデオ信号及びオーディオ信号を記録するビデオレコーダとして構成されていることを特徴とする装置。
【請求項１６】
請求項１に記載の装置において、当該装置は、音声信号を記録するディクテーション装置として、好ましくは、記録されるべき音声信号により駆動することができる音声により制御されるディクテーション装置として構成されていることを特徴とする装置。
【請求項１７】
請求項１に記載の装置において、当該装置は信号源により供給されるデジタルデータを記録するデータ記憶装置として構成されていることを特徴とする装置。
【請求項１８】
情報信号を、記録の開始時に情報信号の一部が失われることなく、記録担体に記録する方法であって、
情報信号を処理すると共に、記録情報信号を供給し、
起動情報及び待ち情報を発生し、
記録情報信号を起動情報の発生に依存させて記録し、
記録情報信号を、少なくとも待ち情報の発生に依存させて一時記憶部に連続的な重ね書き態様で記憶する、
ような各過程を有する方法において、該方法が、
前記記録担体の任意に指定可能な領域を一時記憶部として選択し、
記録情報信号の前記記録担体における一時記憶部として選択された領域内への連続的重ね書き記憶を、待ち情報の発生に依存させて開始し、
記録情報信号の前記記録担体における一時記憶部として選択された領域内への連続的重ね書き記憶を、起動情報の発生に依存させて停止し、
情報信号パケットとアドレス信号パケットとを含む記録情報信号を発生すると共に記録する、
ような各過程を有し、
前記情報信号パケットは前記情報信号に対応し、前記アドレス信号パケットはアドレス情報を含み、該アドレス情報により、前記記録担体における一時記憶部として選択された領域に記録された情報信号パケットと前記記録担体における他の領域に記録された情報信号パケットとの再生の間に、これら再生された情報信号パケットの時間順序をこれら情報信号パケットを連結する目的で規定することができる、
ことを特徴とする方法。
【請求項１９】
請求項１８に記載の方法において、
連結アドレス情報のうちの少なくとも１つの項目が待ち情報に後続する起動情報の発生に依存して発生され及び記録され、
前記連結アドレス情報のうちの少なくとも１つの項目により、前記記録担体に記録された情報信号パケットの再生の間に、前記記録担体における一時記憶部として選択された領域から再生される情報信号パケットと他の再生される情報信号パケットとを適切な時間順序で連結することができ、
前記連結アドレス情報のうちの少なくとも１つの項目により、前記記録担体に起動情報の発生に依存して記録される最初の情報信号パケットを、再生の間に、前記記録担体における一時記憶部として選択された前記領域に記録された最後の情報信号パケットの後に連結することができる、
ことを特徴とする方法。
【請求項２０】
請求項１９に記載の方法において、連結アドレス情報のうちの少なくとも１つの項目が発生され及び記録され、該項目により、再生の間に、前記記録担体における一時記憶部として選択された領域に記録された情報信号パケットを、待ち情報の発生の直前に前記記録担体に記録された情報信号パケットの後に連結することができることを特徴とする方法。
【請求項２１】
請求項２０に記載の方法において、連結アドレス情報のうちの少なくとも１つの項目が発生され及び記録され、該項目により、再生の間に、前記記録担体における一時記憶部として選択された領域に記録され、且つ、前記連続的な重ね書き記憶の終了の際に前記記録担体における一時記憶部として選択された領域に重ね書きされるべき次の情報信号パケットとして配置された情報信号パケットを、待ち情報の発生の直前に前記記録担体に記録された情報信号パケットの後に連結することができることを特徴とする方法。
【請求項２２】
請求項２０に記載の方法において、連結アドレス情報のうちの少なくとも１つの項目が発生され及び記録され、該項目により、再生の間に、前記記録担体における一時記憶部として選択された領域に記録され、且つ、前記連続的な重ね書き記憶の終了の際に前記記録担体における一時記憶部として選択された領域に記録された最後の情報信号パケットの前の或る距離に配置された情報信号パケットを、待ち情報の発生の直前に前記記録担体に記録された情報信号パケットの後に連結することができることを特徴とする方法。
【請求項２３】
請求項１９に記載の方法において、前記記録担体に記録されたアドレス情報が連結アドレス情報により重ね書きされることを特徴とする方法。
【請求項２４】
請求項１８に記載の方法において、前記記録担体における、待ち情報の発生の直前に情報信号パケットが記録された前記記録担体の領域に直に隣接する領域が一時記憶部として選択されることを特徴とする方法。
【請求項２５】
請求項１８に記載の方法において、記録情報信号を記録するために、記録担体としてのランダムアクセスメモリ又は準ランダムアクセスメモリとの協動がなされることを特徴とする方法。
【発明の詳細な説明】
技術分野
本発明は、信号源により供給される情報信号を、記録開始時における情報信号の一部の損失なしに、記録担体に記録する装置であって、情報信号を処理して記録情報信号を供給する処理手段と、起動情報と待ち情報とを供給する入力手段と、上記処理手段の少なくとも一部及び上記入力手段と協動する作動手段であって、該作動手段により記録情報信号の上記記録担体への記録を起動情報の発生に依存させて実行することが可能であると共に記録情報信号の一時記憶部への順次の重ね書き記憶を少なくとも待ち情報の発生に依存させて実行することが可能であるような作動手段とを有する装置に関する。
本発明は、更に、情報信号を記録開始時における情報信号の一部の損失なしに、記録担体に記録する方法であって、情報信号を処理して記録情報信号を供給し、起動情報及び待ち情報を発生し、記録情報信号を上記起動情報の発生に依存させて記録すると共に記録情報信号を一時記憶部に上記待ち情報の発生に依存させて連続的な重ね書き態様で記憶するような各過程を有する方法にも関する。
背景技術
上記第１段落で規定したような形式の装置及び第２段落で規定したような形式の方法は、例えば、ヨーロッパ特許出願公開第EP 0 440 017 B1号から既知である。この既知の装置は、受信装置と、該受信装置に後続し、エンドレスループ磁気テープにより形成された一時記憶部とを有する処理手段を含んでいる。このエンドレスループ磁気テープの長さは、上記一時記憶部の最大記録時間を支配する。この既知の装置は更に作動手段を含み、該作動手段は上記一時記憶部と、記録情報信号を記録担体に記録する記録装置とを有している。この場合、上記記録担体は上記一時記憶部のように磁気テープにより形成されるが、一時記憶部におけるようにエンドレスループ磁気テープにより形成されたものではない。
上記既知の装置においては、受信された情報信号は記録情報信号として一時記憶部に記録され、この一時記憶部から該一時記憶部の最大記録時間だけ遅延されて再生される。時間遅延を伴って再生された上記記録情報信号は、記録担体上に記録される。このように、起動情報により開始される記録担体上への記録の開始時に、上記起動情報の発生前に一時記憶部に記録され次いで該一時記憶部から再生された記録情報信号が、上記一時記憶部における最大記録時間に相当するプリロール時間（preroll time）の間に先ず記録担体上に記録され、次に、上記起動情報の発生後に受信されて一時記憶部に記録され且つ次いで該一時記憶部から読み出された記録情報信号が記録担体上に記録される。
しかしながら、上記既知の装置においては記録担体上に記録された記録情報信号が受信された情報信号の品質と比較して劣化した信号品質を有し、これが一時記憶部への記録及び、それに続く、該一時記憶部からの読み出しに起因することが判った。更に、上記プリロール時間がエンドレスループ磁気テープの長さにより一定であって限度があるので、該プリロール時間を所与のアプリケーションに適合することが不可能である。更に、記録情報信号がプリロール時間だけ遅延して記録担体に記録されるという事実の結果、当該装置の使用に制限が課せられる。何故なら、さらなる過程を実行する前に、上記プリロール時間だけ待たねばならないからである。更に、一時記憶部をエンドレスループ磁気テープにより実現するのは高価であり且つ複雑である。
発明の開示
本発明の目的は、第１段落で規定したような形式の装置の上述した問題を除去し、第１段落で規定した形式の装置及び第２段落で規定した形式の方法を改善して、情報信号が記録の開始時に（即ち、記録処理の始めに）おける情報信号部分の損失なしに記録されることを簡単な方法及び簡単な手段で保証するような改善された装置及び改善された方法を提供することにある。
本発明によれば、上記目的を達成するため、第１段落で規定した形式の装置において、前記記録担体の任意に指定可能な領域を一時記憶部として選択することができ、前記作動手段は記録情報信号の前記記録担体における一時記憶部として選択された領域内への連続的重ね書き記憶を待ち情報の発生に依存させて開始するよう構成され、前記作動手段は記録情報信号の前記記録担体における一時記憶部として選択された領域内への連続的重ね書き記憶を起動情報の発生に依存させて停止するよう構成され、前記作動手段は情報信号パケットとアドレス信号パケットとを含む記録情報信号を発生し及び記録するように構成され、前記情報信号パケットは前記情報信号に対応し、前記アドレス信号パケットはアドレス情報を含み、該アドレス情報により、前記記録担体における一時記憶部として選択された領域に記録された情報信号パケットと前記記録担体における他の領域に記録された情報信号パケットとの再生の間に、これら再生された情報信号パケットの時間順序をこれら情報信号パケットを連結する目的で規定することができる。
本発明による上記構成より、簡単なやり方で、受信された信号と比較して、記録担体上に記録された記録情報信号の信号品質は、別個の一時記憶部における付加的な記録処理及び該別個の一時記憶部からの付加的な再生処理の結果として劣化するようなことがなくなる。更に、一時記憶部における記録時間、即ちプリロール時間（preroll time）を記録担体の任意の大きな部分を一時記憶部として選択又は定義することにより変化させることができる。かくして、上記一時記憶部の最大記録時間を所与の使用状況に適合させることが可能となり、記録担体への記録情報信号の記録の遅れは発生しない。結果として、当該装置の使用に関しては何の時間的制限も課せられない。更に、別個の一時記憶部が不要となるので大幅なコスト低減が達せられる。
請求項１に記載したような特徴を持つ本発明による装置においては、更に、請求項２に記載したような構成がとられると、有利であることが判った。このように、簡単なやり方で、再生時に、起動情報の発生の直前に一時記憶部に記録された情報信号パケットが、該起動情報の発生に応じて記録担体に記録される最初の情報信号パケットの直前に再生されるようになる。
また、請求項２に記載したような特徴を持つ本発明による装置においては、更に、請求項３に記載したような構成がとられると、有利であることが判った。このように、再生の間に、一時記憶部に記録された情報信号パケットの一部だけを当該記録担体上に記録された情報信号パケット中に挿入することも可能であるような装置が得られる。結果として、情報信号パケットが一時記憶部から再生されるプリロール時間は、当該一時記憶部の最大記録時間よりは長くない時間間隔内で自由に選択することができ、所与の用途に適合させることができる。用途へのこのようなプリロール時間の適合は、後でも実施することができる。
また、請求項３に記載したような特徴を持つ本発明による装置においては、更に、請求項４に記載したような構成がとられると、有利であることが判った。このようにして、待ち情報及び起動情報が割り当てられる一時記憶部の最大記録時間をプリロール時間として使用することができると共に、再生時に、一時記憶部に記憶された全ての情報信号パケットを、待ち情報の発生前に一時記憶部に記録された情報信号パケットと起動情報に応じて記録担体上に記録される情報信号パケットとの間に挿入することができる。このように、記録担体上に記録された全ての記録情報信号が再生時に再生され、記録担体の記録容量が特別に有利な態様で使用される。
また、請求項３に記載したような特徴を持つ本発明による装置においては、更に、請求項５に記載したような構成がとられると、有利であることが判った。このようにして、プリロール時間を、常に同じであって所与の距離に対応する所与の時間に設定することができると共に、起動情報の発生前のこの一定のプリロール時間の間に記録された情報信号を該起動情報の発生後に記録される情報信号パケットの前に再生することができるようになる。更に、このプリロール時間を後で一時記憶部の最大記録時間まで延長することも可能である。
また、請求項３に記載したような特徴を持つ本発明による装置においては、更に、請求項６に記載したような構成がとられると、有利であることが判った。このように、簡単なやり方で、アドレス信号パケット内のアドレス情報を後で連結アドレス情報により重ね書きすることもでき、結果としてアドレス信号パケットに関連づけられた情報信号パケットを後に再配列することも可能である。更に、この結果として記録担体の記録容量が最適に使用されるようになる。尚、請求項６に記載された構成は、請求項３、４及び５に記載されたような特徴を持つ本発明による装置にも有利に適用することができることに注意されたい。
また、請求項１に記載したような特徴を持つ本発明による装置においては、更に、請求項７に記載したような構成がとられると、有利であることが判った。このようにして、待ち情報が発生した時点と起動情報が発生した時点との間の時間が一時記憶部の最大記録時間よりも短い場合は、一時記憶部に記録された情報信号パケットは、アドレス情報が連結アドレス情報により重ね書きされることなく、記録担体上に時系列的に記録された情報信号パケットに挿入されることになる。この結果、コンピュータ技術の分野から知られている情報信号パケットの断片整理（defragmentation）は必要ではない。
情報信号パケットの上記のような断片整理の場合は、再生時に連結アドレス情報に基づいて直に次から次と再生される情報信号パケットは、記録担体上の隣接する領域に再配列される。これにより、再生時に情報信号パケットへのアクセスが速くなる。上記を適用した場合は、本発明による装置は情報信号パケットの断片整理を必要とせず、これにより当該装置における処理時間及び当該装置のコストが節約される。
逆に、待ち情報が発生した時点と起動情報が発生した時点との間の時間が一時記憶部の最大記録時間よりも長い場合は、記録担体上で時間的に互いに継続する情報信号の直接の連続性は、３以下の位置（一時記憶部の始点、一時記憶部の終点及び一時記憶部における記録の終点）で断続され、記録担体上でカバーされるべき位置決め経路は一時記憶部の大きさによってのみ支配され、その結果、それらは如何なる用途に対しても十分に小さく維持することができる。
ここで、請求項７に記載したような構成は、請求項３、４、５及び６に記載されたような特徴を持つ本発明による装置にも有利に適用することができることに注意されたい。
また、請求項１に記載したような特徴を持つ本発明による装置においては、更に、請求項８に記載したような構成がとられると、有利であることが判った。情報信号の記録及び情報信号の再生に関して記録担体の任意の領域の情報信号パケットの記憶アドレスの特別に高速な位置指定を可能にする斯様なランダムアクセスメモリ又は準ランダムアクセスメモリによれば、記録担体の任意に指定可能な領域により、特別に効果的な態様で一時記憶部を実現することができる。この請求項８に記載された構成は、請求項３、４、５、６及び７に記載されたような特徴を持つ本発明による装置にも有利に適用することができる。
また、請求項１に記載したような特徴を持つ本発明による装置においては、更に、請求項９に記載したような構成がとられると、有利であることが判った。このようにして、本発明による装置は特に安価で、コンパクトで、且つ、機械的に強固な態様で実現することができる。しかしながら、請求項９に記載した構成は、本発明の上述した他の全ての装置にも有利に適用することができる。
また、請求項１に記載したような特徴を持つ本発明による装置においては、更に、請求項１０に記載したような構成がとられると、有利であることが判った。このようにして、当該装置においては、複数の記録担体を次から次とへと処理することができる。しかしながら、請求項１０に記載した構成は、上述した本発明による他の全ての装置にも有利に適用することができる。
また、請求項１０に記載したような特徴を持つ本発明による装置においては、更に、請求項１１に記載したような構成がとられると、有利であることが判った。半導体メモリにより形成される記録担体においては、当該記録担体の一部を一時記憶部として特別に簡単に定義することができる。更に、半導体メモリは如何なる動く部分も有していないから、結果として、本発明による装置の長寿命が達成される。
また、請求項１０に記載したような特徴を持つ本発明による装置においては、更に、請求項１２に記載したような構成がとられると、有利であることが判った。例えば、ＤＶＤ ＲＡＭ、ＭＯディスク、ＣＤリライタブル又はＭＤディスクであり得る光学的に走査されるディスクによれば、当該記録担体の非常に大きな領域を、特別に簡単な且つ安価な態様で、一時記憶部として規定することが可能である。
また、請求項１０に記載したような特徴を持つ本発明による装置においては、更に、請求項１３に記載したような構成がとられると、有利であることが判った。例えばハードディスクドライブにより形成することができる磁気的に走査されるディスクは、当該記録担体に記録される情報信号パケットへの特別に短いアクセス時間が得られ、その結果、このようなディスクからは、例えばビデオ信号のような非常に高いデータレートの情報信号パケットを満足のゆく再生速度で再生することができる。
また、請求項１０に記載したような特徴を持つ本発明による装置においては、更に、請求項１４に記載したような構成がとられると、有利であることが判った。このようにして、非常に安価な大容量記憶装置である磁気テープを、本発明による装置における記録担体として使用することができる。
また、請求項１０に記載したような特徴を持つ本発明による装置においては、更に、請求項１５に記載したような構成がとられると、有利であることが判った。このようにして、遅れた記録判断が記録の開始時の情報の一部の損失につながらないような低コストのビデオレコーダが得られる。しかしながら、請求項１５に記載されたような構成は、上述した本発明による他の全ての装置にも適用することができる。
また、請求項１０に記載したような特徴を持つ本発明による装置においては、更に、請求項１６に記載したような構成がとられると、有利であることが判った。このようにして、遅れた記録判断が記録の開始時の音声信号の一部の損失につながらないような低コストのディクテーション装置が得られる。そして、音声により制御される形式のような優先的な場合には、敷居値検出器により制御される記録の場合においても記録の開始時に音声信号の一部が失われるのを防止することができるような音声信号記録用のディクテーション装置が得られる。しかしながら、この請求項１６に記載されたような構成は、上述した本発明による他の全ての装置にも適用することができる。
また、請求項１０に記載したような特徴を持つ本発明による装置においては、更に、請求項１７に記載したような構成がとられると、有利であることが判った。このようにして、データ記憶装置から受信されたデジタルデータはユーザに対する有効性及び関連性に関して判定することができ、肯定的な判定の場合は上記デジタルデータは記録の開始時のデジタルデータの損失なしに記録することができる。
前述した目的を達成するため、本明細書の第２段落に規定したような形式の方法は、前記記録担体の任意に指定可能な領域を一時記憶部として選択し、記録情報信号の前記記録担体における一時記憶部として選択された領域内への連続的重ね書き記憶を待ち情報の発生に依存させて開始し、記録情報信号の前記記録担体における一時記憶部として選択された領域内への連続的重ね書き記憶を起動情報の発生に依存させて停止し、情報信号パケットとアドレス信号パケットとを含む記録情報信号を発生すると共に記録するような各過程を有し、前記情報信号パケットは前記情報信号に対応し、前記アドレス信号パケットはアドレス情報を含み、該アドレス情報により、前記記録担体における一時記憶部として選択された領域に記録された情報信号パケットと前記記録担体における他の領域に記録された情報信号パケットとの再生の間に、これら再生された情報信号パケットの時間順序をこれら情報信号パケットを連結する目的で規定することができることを特徴としている。このようにして、請求項１に記載されたような特徴を持つ本発明による装置に関して先に説明した利点に相当する利点が、本発明による方法に関しても得られる。
本発明による方法の請求項１９、２０、２１、２２、２３、２４及び２５に記載した変形例の利点に関しては、請求項２、３、４、５、６、７及び８に記載した本発明による装置の変形例について先に説明した利点を参照されたい。
上述した特徴及び本発明の他の特徴は、例示的に以下に記載する実施例から明らかになるであろうし、これら実施例を参照して説明されるであろう。
【図面の簡単な説明】
以下、本発明を例示的に記載し図面に示した４つの実施例（本発明を限定するものではない）について詳細に説明する。
第１図は、ビデオ映画を編集することができ、本発明の第１実施例による装置を含むような組み合わせ型ビデオレコーダ／ハードディスク機器を概念的に示す。
第２図は、第１図に示す機器に含まれる本発明による装置のハードディスク装置における磁気ディスクの或る領域であって、記録情報信号が情報信号パケット及びアドレス信号パケットとして記憶されているような領域を概念的に示す。
第３図は、第２図と同様に、ハードディスクドライブの磁気ディスクにおける一時記憶部を形成する領域であって、該一時記憶部に記憶された情報信号パケットの一部が記録担体の他の領域に記録される情報信号パケット内に連結アドレス情報により挿入されるような領域を概念的に示す。
第４図は、第２図及び第３図と同様に、ハードディスクドライブの磁気ディスクにおける一時記憶部を形成する他の領域であって、該一時記憶部に記憶された情報信号パケットの２つの部分が記録担体の他の領域に記録される情報信号パケット内に連結アドレス情報により挿入されるような領域を概念的に示す。
第５図は、第２図、第３図及び第４図と同様に、ハードディスクドライブの磁気ディスクにおける一時記憶部を形成する領域であって、該一時記憶部に記憶された全ての情報信号パケットが記録担体の他の領域に記録される情報信号パケットに連結アドレス情報により挿入されるような領域を概念的に示す。
第６図は、本発明の第２実施例による装置であって、音声信号を記録するディクテーションマシンとして構成されると共に、記録されるべき音声信号により起動されるように構成された装置を概念的に示す。
第７図は、本発明の第３実施例による装置であって、信号源により供給されるデジタルデータを記録するデータ記憶装置として構成された装置を概念的に示す。
第８図は、本発明の第４実施例による装置であって、非常に長い監視期間の間、監視カメラからのビデオ信号を記録する磁気テープビデオレコーダとして構成された装置を概念的に示す。
第９図は、記録担体を形成すると共に第８図に示す磁気テープビデオレコーダにおいて一時記憶部としても使用される磁気テープの領域を示す。
発明を実施するための最良の形態
第１図は組み合わせ型ビデオレコーダ／ハードディスク機器（以下、機器１と称す）を概念的に示し、該装置１は本発明の第１実施例による装置２を含んでいる。
機器１は磁気テープビデオレコーダ部３を有し、この磁気テープビデオレコーダ部は該レコーダ部３のビデオ入力端４に供給することができるビデオ信号を磁気テープカセット５に記録するように構成されている。磁気テープビデオレコーダ部３は、更に、磁気テープカセット５に記録されたビデオ信号を再生すると共に、この再生されたビデオ信号を第１ビデオ出力端６と第２ビデオ出力端７とに供給するよう構成されている。
機器１は、更に、装置２を形成するハードディスク／ビデオレコーダ部を有し、該装置２は磁気テープビデオレコーダ部３の第２ビデオ出力端７に接続された情報入力端８を有している。この装置２は、更に、ハードディスクドライブ９を有し、情報信号を該ハードディスクドライブ９に記録の開始時における情報信号部分１０の損失なしに記録するように構成されている。この場合、上記情報信号は当該装置２にとって信号源を形成する磁気テープビデオレコーダ部３から装置２の情報信号入力端８に供給することができる。装置２は、更に、ハードディスクドライブ９から情報信号Ｉを再生するように構成されている。
機器１において、磁気テープカセット５の磁気テープ上に記録されたビデオ映画は磁気テープビデオレコーダ部３により再生することができ、装置２はユーザにより望まれる該ビデオ映画の情報信号部分のみをハードディスクドライブ９の磁気ディスク上に記録することができる。このように、機器１はビデオ編集機器として使用することができる。
機器１は入力端１１を有し、該入力端において機器１は第１図には図示しない信号源からテレビジョン信号を受信することができる。また、機器１はチューナ装置１２を含み、該チューナ装置は復調器１３と変調器１４とを有している。復調器１３は機器１の入力端１１に接続され、該入力端を介して入力端１１に供給されたテレビジョン信号を復調器１３に供給することができる。復調器１３により復調されたテレビジョン信号はビデオ信号として入力信号処理手段１５に供給することができる。入力信号処理手段１５において、上記ビデオ信号は第１図には示さない複数のフィルタ段及び増幅器段に供給されると共に、これら段により既知の方法で処理される。入力信号処理手段１５により供給される処理されたビデオ信号は、入力源選択器１７の第１入力端１６に供給することができる。入力源選択器１７は第２入力端１８を有し、該入力端を介して装置２のハードディスクドライブ９により再生された情報信号を当該入力源選択器１７に供給することができる。
機器１は、磁気テープビデオレコーダ部３を制御する入力手段１９を有している。入力手段１９は記録源選択キー２０を含み、該キーを介して制御信号ＱＳを入力源選択器１７の制御入力端２１に供給することができる。記録源選択キー２０により供給される制御信号ＱＳに応じて、入力源選択器１７は、その第１入力端１６又は第２入力端１８を当該入力源選択器１７の出力端２２に接続する。入力源選択器１７の出力端２２は、磁気テープビデオレコーダ部３のビデオ入力端４に接続されている。結果として、入力信号処理手段１５により供給される処理されたビデオ信号か、又は装置２により再生された情報信号Ｉの何れかを、磁気テープビデオレコーダ部３のビデオ入力端４に供給することができる。
磁気テープビデオレコーダ部３は、記録処理手段２４と、再生処理手段２５と、制御手段２６とを含む作動手段２３を有している。記録処理手段２４は上記ビデオ入力端４に接続されている。この記録処理手段２４は、第１図には図示しないフィルタ段及び増幅器段を含んでいる。記録処理手段２４は、ビデオ入力端４に入力されたビデオ信号を、磁気テープカセット５の磁気テープ上に記録することができる記録ビデオ信号へと処理する。
磁気テープビデオレコーダ部３において、入力手段１９は記録キー２７を有し、該キーにより当該磁気テープビデオレコーダ部３内で記録モードを活性化することができる。作動手段２３における制御手段２６は、記録モードが活性状態の場合に、記録処理手段２４により供給される記録ビデオ信号の磁気テープカセット５における磁気テープ上への記録を制御するように構成されている。この目的のため、制御手段２６は記録モード中に磁気テープの移送速度を２つの概念的に示された作動接続部２９及び３０を介して既知の方法で制御する。かくして、磁気テープは第１図には図示されていないスキャナを通過し、当該磁気テープビデオレコーダ部３が記録モードである場合は、記録ビデオ信号は上記スキャナ内のヘッドにより既知のようにして磁気テープ上に記録される。
入力手段１９は再生キー２８を更に有し、該キーにより当該磁気テープビデオレコーダ部３内で再生モードが起動される。作動手段２３における制御手段２６は、再生モードが起動された場合に、上記磁気テープカセットにおける磁気テープ上に記録された記録ビデオ信号の再生を制御するように構成されている。この目的のため、制御手段２６は磁気テープカセット５の磁気テープの移送速度を上記２つの作動接続部２９及び３０を介して既知の方法で制御する。再生モード中に磁気テープカセット５の磁気テープから再生された再生ビデオ信号は、再生処理手段２５に供給することができる。再生処理手段２５はフィルタ段及び増幅器段を含むが、これらは第１図には図示されていない。再生処理手段２５は供給された再生ビデオ信号を処理し、かくして処理されたビデオ信号は当該磁気テープビデオレコーダ部３の第１ビデオ出力端６と第２ビデオ出力端７との両方に供給することができる。
磁気テープビデオレコーダ部３の第１ビデオ出力端６に供給されたビデオ信号は、出力信号処理手段３１に供給することができる。出力信号処理手段３１はビデオ信号をフィルタ段及び増幅器段により処理することができるが、これら段は第１図には図示されていない。出力信号処理手段３１により供給される処理されたビデオ信号はチューナ装置１２の変調器１４に供給することができる。変調器１４により変調されたビデオ信号は機器１の出力端３２に供給することができ、この出力端３２から、当該出力端３２に接続することができる例えばテレビジョン受像機のような第１図には図示されていない機器に供給することができる。更に、出力信号処理手段３１には装置２のハードディスクドライブ９により再生された情報信号Ｉを供給することができ、該情報信号Ｉも、同様に、出力信号処理手段３１から出力端３２に接続されたテレビジョン受像機に変調器１４及び出力端３２を介して供給することができる。
装置２は、情報信号を処理し（該情報信号は当該装置２の情報信号入力端８に供給され、この場合は磁気テープカセット５の磁気テープから再生されたビデオ信号により形成されている）、且つ、記録情報信号Ｗを供給する処理手段３３を有している。記録情報信号Ｗは記録担体（本例では、ハードディスクドライブ９の磁気的に走査されるディスク３４により形成される）の領域に記憶することができ、この場合、上記記録情報信号は、第２図に示す磁気ディスク３４の領域に関する記載中で後に詳細に説明するように、情報信号部１０、先行点アドレス信号部３５及び後続点アドレス信号部３６に記憶される。
処理手段３３は、入力処理手段３７と他の記録処理手段３８とを含んでいる。入力処理手段３７はフィルタ段、アナログ−デジタル変換器段、圧縮段及び増幅器段を含むが、これら段は第１図には図示されていない。入力処理手段３７は、情報信号入力端８から当該入力処理手段３７に供給される情報信号を処理することができる。かくして処理された情報信号は、当該入力処理手段３７から上記他の記録処理手段３８へ供給することができる。この他の記録処理手段３８は、以下に詳述するように、入力処理手段３７により当該記録処理手段に供給された情報信号を処理し、記録情報信号Ｗをハードディスクドライブ９に供給するように構成されている。
装置２は他の入力手段３９を更に有し、該手段はカットインキー４０と、位置決めキー（position key）４４と、連結キー（linkage key）４５とを含んでいる。本例の場合、上記他の入力手段３９は、装置２内に設けられる他の作動手段４６に制御情報を供給するように構成されている。この他の作動手段４６は、上記他の記録処理手段３８と、他の再生処理手段４７と、他の制御手段４８とを含んでいる。上記他の制御手段４８は、記録モード及び再生モードにおいて、磁気ディスク３４の速度と、該磁気ディスク３４に対する第１図には図示せぬ磁気ヘッドの位置とを他の作動接続部４９を介して既知の方法で制御するように構成されている。上記他の制御手段４８は、更に、上記磁気ヘッドの瞬時的な位置に対応するアドレス情報ＡＤを発生し、このアドレス情報ＡＤを記録処理手段３８に供給するよう構成されている。
上記他の再生処理手段４７はデジタル−アナログ変換器段と、伸張段と、フィルタ段と、増幅器段とを有しているが、これらは第１図には図示されていない。この他の再生処理手段４７は再生情報信号Ｒを処理するように構成されている。
起動情報ＡＩをカットインキー４０により上記他の作動手段４６に供給することができ、該情報は当該装置２内で連続記録モードを活性化させることができる。この他の作動手段４６は、第２図に示すように、連続記録モードにおいては、ハードディスクドライブ９の磁気ディスク３４上に記録情報信号Ｗを連続的に記録するように構成される。
カットアウトキー４１により、待ち情報ＷＩを上記他の作動手段４６に供給することができ、該情報は当該装置２内で待ち記録モードを活性化させることができる。上記他の作動手段４６は磁気ディスク３４の或る領域を一時記憶部５０として指定するように構成されており、これは当該装置２が待ち記録モードに設定された場合に実行される。また、他の作動手段４６は記録情報信号Ｗの一時記憶部５０を形成する磁気ディスク３４の上記領域への連続的な重ね書き記憶を、待ち情報ＷＩの発生に依存させて開始するようにも構成されており、このような開始は当該装置２内で待ち記録モードが活性化されている場合に実行される。また、他の作動手段４６は記録情報信号Ｗの一時記憶部５０への連続的な重ね書き記憶を、起動情報ＡＩの発生に依存させて終了させるようにも構成されており、このような終了は当該装置２の待ち記録モードにおいて連続記録モードが活性化された場合に実行される。
第２図は、ハードディスクドライブ９の磁気ディスク３４における或る領域を概念的に示し、該領域においては記録情報信号Ｗは情報信号部１０と、先行点アドレス信号部３５及び後続点アドレス信号部３６により形成されるアドレス信号部とに記憶される。磁気ディスク３４上の情報信号部１０内に記録される情報信号パケットＩＰは上記情報信号に対応する。何故なら、前記入力処理手段３７においては、装置２の情報信号入力端８に供給された情報信号はアナログ−デジタル変換器段によりデジタル化され、次いで圧縮段により圧縮され、そして次に圧縮されたデジタル信号として情報信号パケットＩＰ内に記録されるからである。他の例として、上記情報信号は第８図に示す本発明の第４実施例に関して説明するように、情報信号パケットＩＰ内にアナログ信号として記憶することもできることに注意されたい。磁気ディスク３４上のアドレス信号部に記録された先行点アドレスパケットＩＶ及び後続点アドレスパケットＩＮ内に含まれるアドレス情報ＡＤにより、再生された情報信号パケットＩＰの時間順序を、これらパケットの連結の目的で規定することができる｛一時的記憶部５０（第３図参照）として選択された磁気ディスク３４の領域内に記録された情報信号パケットＩＰと、磁気ディスク３４の他の領域に記録された情報信号パケットＩＰとの再生の場合）。この場合、情報信号パケットＩＰnは、先行点アドレスパケットＩＶnと後続点アドレスパケットＩＮnと関連づけられ、これら３つのパケットが集合体パケット５１nを形成する。
集合体パケット５１nの先行点アドレスパケットＩＶnは磁気ディスク３４上の位置を特定するアドレス情報を含み、該位置が第２図に後続点ポインタリンク５３nにより記号的に印されている。後続点ポインタリンク５３nは、集合体パケット５１n+1が記憶される磁気ディスク３４上の位置を印している。
装置２を再生キー４３の駆動により設定することができる再生モードにおいては、再生された情報信号パケットＩＰの順序は、先行点アドレスパケットＩＶと後続点アドレスパケットＩＮとに記憶されたアドレス情報ＡＤにより規定される。再生モードにおいては、再生情報信号Ｒを形成し、且つ、前記他の制御手段４８の制御の下で正しい順序で再生される集合体パケット５１は、前記他の再生処理手段４７の伸張手段により伸張され、デジタル−アナログ変換器段によりアナログ信号に変換される。このアナログ信号は入力源選択器１７の第２入力端１８と出力信号処理手段３１とに再生された情報信号Ｉとして供給することができる。
コンピュータ技術においては、上記のような先行点アドレスパケットＩＶと後続点アドレスパケットＩＮとを用いた情報信号パケットＩＰの連結は、２重連結リスト（double linked list）として知られている。本発明による方法は単一連結リスト（single linked list）と関連させて適用することもできることに注意すべきであり、この単一連結リストにおいては、本発明の第４実施例を参照して詳細に説明されるであろうように、情報信号パケットＩＰは専ら先行点アドレスパケットＩＶにより連結されるか、又は専ら後続点アドレスパケットＩＮにより連結される。物理的フィルムと比肩し得るように、情報信号パケットが通常再生モードと逆再生モードとの両方で再生可能でなければならない場合は、２重連結リストの使用が必須である。
第３図は装置２のハードディスクドライブ９における磁気ディスク３４の或る領域を概念的に示し、該領域は一時的記憶部５０を形成し、該領域においては第１併合部５４に記憶された情報信号パケットＩＰが、磁気ディスク３４上の他の領域に記録された情報信号パケットＩＰと併合されている。
機器１がビデオ編集器として使用され、磁気テープカセット５の磁気テープ上に記録されたビデオ映画を編集しなければならず、該ビデオ映画に関して当該機器１のユーザがビデオ信号の所望の情報信号部分のみをハードディスクドライブ９に記録したいと欲する場合、ビデオ信号は、磁気テープビデオレコーダ部３の再生キー２８を駆動することにより磁気テープカセット５の磁気テープから再生することができる。機器１のユーザは、再生されたビデオ映画を当該機器１の出力端３２に接続されたテレビジョン受像機により視聴することができる。該ビデオ映画を視聴している間、機器１のユーザは、当該ビデオ映画の所望の部分をカットインキー４０を駆動することにより磁気ディスク３４上に記憶することができる一方、カットインキー４０の駆動により先に開始された記憶を当該ビデオ映画の不所望な部分が始まった時にカットアウトキー４１を駆動することにより終了させることができる。機器１のユーザは、ビデオ映画が視聴されている間に今視聴された部分が所望のものか又は不所望のものかを判断するので、カットインキー４０の駆動によるユーザの記録判断は通常遅過ぎる。ユーザの遅い記録判断にも拘わらず、記録を開始する場合にビデオ映画の一部が失われるのを防止するために、当該ビデオ映画は、カットアウトキー４１の駆動後連続的に重ね書きすることにより一時記憶部５０に記憶される。このようにして、機器１のユーザにより選択されるプリロール時間（この時間は一時記憶部５０の最大記録時間よりは長くない）の間、カットインキー４０の駆動前に磁気ディスクビデオレコーダ部３により再生されたビデオ映画の一部は、ハードディスクドライブ９の再生の間に再生することができ、従って失われることはない。一時記憶部５０の最大記録時間は例えば１０秒とすることができる一方、選択されるプリロール時間は５秒であり得る。しかし、記録後に機器１のユーザは他のプリロール時間を後で規定することもでき、これについては後に詳述する。
装置２のカットインキー４０の駆動により、当該装置２は連続記録モードに設定することができ、磁気テープカセット５の磁気テープから再生されたビデオ信号は、記録情報信号として、ハードディスクドライブ９の磁気ディスク３４に記憶することができる。連続記録モードにおいては、記録情報信号は、第２図に示される情報信号部１０と、アドレス信号部３５及び３６とに記録される。最初の起動情報ＡＩが発生すると、記録は最初の集合体パケット５１1で始まり、次いで集合体パケット５１2及びその後に挿入される集合体パケット５１3、５１4、５１5及びそれ以降の集合体パケット５１で継続される。
ビデオレコーダのユーザが再生されたビデオ信号の一部を磁気ディスク３４上に記録したいと欲しない場合は、カットアウトキー４１の駆動により当該装置２を待ち記録モードに設定することができ、この場合は待ち情報５５が発生される。この場合は、前記他の作動手段４６は磁気ディスク３４の一時記憶領域を待ち情報ＷＩの発生に依存して規定するように構成される。特に、上記他の作動手段４６は、待ち情報ＷＩが発生される直前に情報信号パケットＩＰが記録された磁気ディスク３４の領域に直に隣接する磁気ディスク３４上の領域を、一時記憶部として規定するように構成される。結果として、集合体パケット５１ｎが記録され、且つ、待ち情報５５が発生した場合、他の作動手段４６は、該待ち情報５５の発生の際に記録された集合体パケット５１nに直に隣接する磁気ディスク３４の領域を一時記憶部として規定する。この一時記憶部５０はｋ個の集合体パケット５１を記憶することができる。一時記憶部５０への最大記録時間は、当該一時記憶部へ記憶することができる集合体パケット５１の数ｋを規定することにより、規定し且つビデオレコーダのユーザの望みに適合させることができる。
カットアウトキー４１の駆動後に、ユーザが磁気テープビデオレコーダ部３により今再生されたビデオレコーダ映画の部分を記録したいと欲したので、機器１の該ユーザが一時記憶部５０の最大記録時間以内にカットインキー４０を駆動した場合は、集合体パケット５１は第２図に示すように記録される。この場合、集合体パケット５１は磁気ディスク３４上に、あたかも連続記録モードが中断されなかったように記録される。この場合、情報信号パケットＩＰは磁気ディスク３４上に、再生のために必要とされ且つ先行点アドレスパケットＩＶ及び後続点アドレスパケットＩＮにより特定される順序で適切に記録される。この結果、コンピュータ技術の分野で知られているような情報信号パケットＩＰの断片整理（defragmentation）は必要とされず、かくして情報信号パケットＩＰへの特に高速なアクセスが可能であり、これが機器１内の装置２の非常に良好な再生性能を保証する。
待ち記録モードにおいて、一時記憶部５０の最大記録時間よりも長い記録時間にわたってカットインキー４０に応答して起動情報ＡＩが発生されない場合は、記録情報信号Ｗの一時記憶部５０への連続重ね書き記憶が、前記他の作動手段４６の助けにより可能となる。この場合、情報信号パケットＩＰn+kの記録の後、記録は集合体パケット５１n+1で継続され、情報信号パケットＩＰn+1及び連続するそれ以降の情報信号パケットＩＰが、記録されるべき記録情報信号Ｗの情報信号パケットＩＰにより重ね書きされる。しかしながら、この場合はアドレス信号パケットではなく情報信号パケットＩＰのみが一時記憶部５０で重ね書きされるので、集合体パケット５１の連結は最初の起動情報５６が発生されるまでアドレス信号部に記録されたアドレス信号パケットにより維持される。
待ち記録モードにおける記録中に最初の駆動情報５６が情報信号パケットＩＰn+2で発生すると、磁気ディスク３４上の位置を示す連結アドレス情報ＩＲが後続点アドレスパケットＩＮn+2に記憶さる。この位置は後続点ポインタリンク５８により記号的に印され、該位置から、上記起動情報５６の発生の後に、記録情報信号Ｗを情報信号パケットＩＰn+k+1に記録することができる。更に、上記起動情報５６の発生の際、他の連結アドレス情報ＩＲが先行点アドレスパケットＩＶn+k+1に記憶されて磁気ディスク３４上の位置を示す。この位置は第３図に第１の先行点ポインタリンク５７により記号的に印されており、この位置からは一時記憶部５０に最後に記録された集合体パケット５１2が記録される。この場合、前記他の作動手段４６は、アドレス信号パケットに記憶されたアドレス情報を連結アドレス情報ＩＲで重ね書きするように構成される。上述した一時記憶部５０に記憶される集合体パケット５１の連結の経過記録により、再生の間では、情報信号パケットＩＰは：
ＩＰn-1→ＩＰn→ＩＰn+1→ＩＰn+2→ＩＰn+k+1
のように連結されるようになる。
このように、再生の間では駆動情報５６の発生に応じて、ハードディスクドライブ９の磁気ディスク３４に最初の情報信号パケットとして記録された情報信号パケットＩＰn+k+1は、磁気ディスク３４の一時記憶部５０として選択された領域に記録された最後の情報信号パケットＩＰn+2の後に連結されるようになる。この結果、一時記憶部５０に記憶された情報信号パケットＩＰの一部のみ（本例では、最初の併合部５４）が、待ち情報５５の発生前及び起動情報５６の発生後に磁気ディスク３４に記録される情報信号パケットＩＰに挿入される。この場合、上記第１併合部５４に記憶された情報信号パケットＩＰn+1及びＩＰn+2の再生時間長がプリロール時間を示すことになる。このプリロール時間は、以下に詳述するように、後でも変更することができる。
ビデオ映画編集処理過程の完了後、機器１のユーザが他の再生キー４３により活性化された再生モードにおいて機器１の出力端３２に接続されたテレビジョン受信機により装置２のハードディスクドライブ９から再生される情報信号を視聴する場合に、該ユーザは上記第１併合部５４の大きさにより支配されるプリロール時間が短過ぎると認めるかもしれない。この場合、位置決めキー４４の駆動により、装置２は位置決めモードに設定することができ、該モードにおいては、連結アドレス情報ＩＲにより連結されていないものも含め、一時記憶部５０に記憶された全ての情報信号パケットＩＰを再生することができる。情報信号パケットＩＰn+3の再生の間に、機器１のユーザが位置決めモードにおいて連結キー４５を駆動すると、先行点アドレスパケットＩＶ及び後続点アドレスパケットＩＮが、再生の間に情報信号パケットが下記のように連結されるような連結アドレス情報ＩＲで、重ね書きされる：
ＩＰn-1→ＩＰn→ＩＰn+1→ＩＰn+2→ＩＰn+3→ＩＰn+k+1
このようにして、プリロール時間はビデオ映画の編集後でも変更することができ、この場合最大プリロール時間は一時記憶部５０への最大記録時間に等しい。
第４図は装置２のハードディスクドライブ９における磁気ディスク３４の他の領域を概念的に示し、該他の領域は一時記憶部５０を形成し、該他の領域においては２つの部分を有する第２併合部５９に記憶される情報信号パケットＩＰが複数の連結アドレス情報ＩＲの助けにより磁気ディスク３４の他の領域に記録される情報信号パケットＩＰに含まれている。第１図に示されていない態様で、装置２が４つの情報信号パケットＩＰの再生時間に対応するプリロール時間Ｔ１に設定されているとすると、第４図に示すような情報信号パケットＩＰの連結が、第２待ち情報６０及び第２駆動情報６１の発生に応じて得られる。
待ち情報６０の発生の後に、最初に、記録が一時記憶部５０に記憶されるｋ番目の集合体パケット５１n+kでなされると、磁気ディスク３４上に第２後続点ポインタリンク６３により印された位置を示す連結アドレス情報ＩＲが後続点アドレスパケットＩＮn+kに記憶される。先行点アドレスパケットＩＶn+1には、磁気ディスク３４上に第２先行点ポインタリンク６２により印された位置を示す連結アドレス情報ＩＲが記憶される。第２先行点ポインタリンク６２及び第２後続点ポインタリンク６３により、再生の間では情報信号パケットＩＰn+kが情報信号パケットＩＰn+1に先行するようになる。
第２起動情報６１が発生されると、丁度第３図に示した第１の起動情報５６の場合のように、連結アドレス情報ＩＲが先行点ポインタリンク５７と後続点ポインタリンク５８とを規定するために記憶される。上記先行点ポインタリンク５７及び後続点ポインタリンク５８により、起動情報６１の発生の際に磁気ディスク３４に記憶される最初の情報信号パケットＩＰn+k+1は、一時記憶部５０として選択された磁気ディスク３４の領域に記録された最後の情報信号パケットＩＰn+2の後に含まれる。
更に、起動情報６１が発生した場合、磁気ディスク３４上の第３後続点ポインタリンク６５により印される位置を示す連結アドレス情報ＩＲが、待ち情報６０の発生前に記録された最後の後続点アドレスパケットＩＮnに記憶される。対応する連結アドレス情報ＩＲが先行点アドレスパケットＩＶn+k-1に記憶され、磁気ディスク３４上の第３の先行点ポインタリンク６４により印される位置を示す。この場合、前記他の作動手段４６の助けにより、上記連結アドレス情報ＩＲを発生し記録することが可能であり、該連結アドレス情報により、一時記憶部５０に記録された情報信号パケットＩＰn+k-1は、連続的な重ね書き記憶の終了の際に一時記憶部５０に記録された最後の情報信号パケットＩＰn+2より前のプリロール時間Ｔ１により規定される所与の距離に配置され、再生の間では待ち情報６０の発生の直前に記録された情報信号パケットＩＰnの後に配置される。
このようにして、再生の間においては、第２併合部５９に記録された情報信号パケットＩＰが、待ち情報６０の発生前及び起動情報６１の発生後に磁気ディスク３４に記録された情報信号パケットＩＰに含まれるようになる。結果として、第５図に示す磁気ディスク３４の領域からの情報信号パケットＩＰの再生の間では、下記の順序の情報信号パケットＩＰが得られる：
ＩＰn-1→ＩＰn→ＩＰn+k-1→ＩＰn+k→ＩＰn+1→ＩＰn+2→ＩＰn+k+1
結果として、機器１のユーザによるカットインキー４０の駆動前に再生された、第２併合部５９に対応する所与のプリロール時間Ｔ１の情報信号区画が失われることがないという利点が得られる。
ここで、他の例として上記記録担体を例えば２つのハードディスクドライブのような複数の独立した記録担体により形成することもでき、これら記録担体は上記他の作動手段４６により単一の論理記録担体として制御することができることに注意されたい。この構成はコスト低減につながる。何故なら、各々が比較的小さな記憶容量を持つ複数の記録担体は、大きな記憶容量を持つ単一の記録担体よりも安価であるからである。
第５図は装置２のハードディスクドライブ９における磁気ディスク３４の一時記憶部５０を形成する領域を概念的に示し、この場合、該一時記憶部５０に記憶される全ての情報信号パケットＩＰが、複数の連結アドレス情報ＩＲにより、磁気ディスク３４の他の領域に記録される情報信号パケットＩＰに含まれることになる。装置２において、第１図に示されていない態様でプリロール時間が一時記憶部５０の最大記録時間として規定されている場合、一時記憶部５０に記憶される全ての情報信号パケットＩＰを有する第３の併合部６６が、再生の間で、第３の待ち情報６７の発生前の情報信号パケットＩＰと第３の起動情報６８の発生の後の情報信号パケットＩＰとの間に含まれる。この場合、第１の先行点ポインタリンク５７、第１の後続点ポインタリンク５８、第２の先行点ポインタリンク６２及び第２の後続点ポインタリンク６３のための連結アドレス情報ＩＲは、第４図で示した情報信号パケットＩＰの配置に関して既に説明したものと同様の態様で配置される。ところが、連結アドレス情報ＩＲは先行点アドレスパケットＩＶn+3と後続点アドレスパケットＩＮnとに配置され、結果として、第３の先行点ポインタリンク６４と第３の後続点ポインタリンク６５は、再生の間で、一時記憶部５０への連続的な重ね書き記憶の終了の際に重ね書きされる次の情報信号パケットＩＰn+3が、待ち情報６７の発生直前に磁気ディスク３４に記録された情報信号パケットＩＰnの後に配置されるように規定される。この結果として、第５図に示す磁気ディスク３４の領域からの情報信号パケットＩＰの再生の間では、下記のような情報信号パケットＩＰの配列が得られる：
ＩＰn-1→ＩＰn→ＩＰn+3→…→ＩＰn+k-2→ＩＰn+k-1→ＩＰn+k→ＩＰn+1→ＩＰn+2→ＩＰn+k+1
このようにして、一時記憶部５０の最大記録時間がプリロール時間として使用されるようになる。かくして、再生の間では、記録担体に記録された全ての記録情報信号Ｗが再生され、ハードディスクドライブ９の記録容量が特別に有利な態様で使用される。
有利は態様では、ハードディスクドライブ９の磁気ディスク３４が本発明の第１実施例による装置２の記録担体として選択され、該ディスクはランダムアクセスメモリを形成し、該メモリに記憶された情報信号パケットＩＰへのランダムなアクセスを保証する。更に、上記のようなランダムアクセスメモリは、一時記憶部及び該記録担体の他の領域に記録される情報信号パケットＩＰの記憶及び再生にとって特に好適である。ハードディスクドライブ９の使用は、特別に短いアクセス時間を可能にし、情報信号が非常に高いデータレートで再生されるという満足のゆく高速再生を保証する。
ここで、一時記憶部５０として定義することができる記録担体領域は、アドレス信号パケット３５及び３６に含まれるアドレス情報ＡＤの助けによる連結により１つの論理領域を形成するように組み合わされる複数の領域又は複数の記録担体からなるようにすることもできることに注意されたい。このアドレス情報ＡＤは上記記録担体に関する情報を含むようにすることもできる。
また、ビデオ映画の編集過程はカットアウトキー４１の駆動によっても開始させることができ、その場合には磁気ディスク３４の或る領域が、該編集過程の正に開始時点に連続的な重ね書き用の一時記憶部５０として定義される、ことにも注意されたい。
第６図は、本発明の第２実施例による装置２を概念的に示し、該装置は音声信号を記録するディクテーションマシンとして構成されると共に、記録されるべき音声信号により起動されるようにも構成されている。マイクロフォン６９を当該装置２の情報信号入力端８に接続することができ、これにより音声信号を装置２に供給する。音声信号は上記情報信号入力端８から処理手段３３へ供給することができ、該手段は記録情報信号Ｗを供給するように構成されている。
第６図に示す装置２は、記録担体を収容するように構成された保持手段７０を含み、該手段からは挿入された記録担体を再び取り除くことができる。このように、装置２は多数の記録担体を次から次へと扱うことができるようになる。この場合、上記記録担体は、所謂ＰＣＭＣＩＡカード（ラップトップカード）として知られている、保護キャリア内に収容された固体メモリ７１により形成される。
装置２は入力手段７２を有し、該手段は記録キー７３、停止キー７４、位置決めキー７５及び再生キー７６を含んでいる。記録キー７３を駆動することにより、待ち記録モードが活性化される。装置２は、以下に詳述するような他の記録モード、即ち連続記録モードに設定することができる。該記録モードが活性状態にある場合は、処理手段３３により供給される記録情報信号Ｗは固体メモリ７１に記憶することができ、該当メモリアドレスは、作動手段４６における制御手段４８により作動接続部４９を介して規定される。再生キー７６を駆動することにより再生モードが活性化される。再生モードが活性状態の場合は、固体メモリ７１から再生情報信号Ｒを再生することができる当該固体メモリ７１内のメモリアドレスは、位置決めキー７５の駆動により規定することができる。再生情報信号Ｒは作動手段４６の再生処理手段４７において処理することができ、出力信号処理手段３１に供給することができる。出力信号処理手段３１内で処理された再生情報信号Ｒは、音声信号として、装置２のスピーカ７７に供給することができる。このスピーカは上記出力信号処理手段３１に接続されている。上記記録モード及び再生モードは、共に、停止キー７４を駆動することにより不活性化することができる。
さて、装置２は情報信号入力端８に接続されると共にマイクロフォン６９から音声信号を入力するように構成された敷居値検出器７８を有している。この敷居値検出器７８は、該検出器に供給された音声信号の振幅を所与の敷居値と比較し、この比較によりマイクロフォン６９から入力された音声信号のレベル又はノイズ信号のみのレベルに関する情報を得るように構成されている。また、この敷居値検出器７８は、該敷居値検出器７８における上記比較が、敷居値検出器７８に供給された音声信号の振幅が上記敷居値よりも大きいことを示している場合に、起動情報ＡＩを供給するように構成されている。また、この敷居値検出器７８は、該敷居値検出器７８における上記比較が、敷居値検出器７８に供給された音声信号の振幅又はノイズ信号のみの振幅が上記敷居値よりも小さいことを示している場合に、待ち情報ＷＩを供給するように構成されている。上記駆動情報ＡＩ及び待ち情報ＷＩは、共に、敷居値検出器７８から作動手段４６に供給することができる。
装置２が記録キー７３の駆動により待ち記録モードに設定されている場合、作動手段４６は、敷居値検出器７８からの適切な制御信号に応答して、一時記憶部５０として選択することができる固体メモリ７１の領域に記録信号Ｗを連続した重ね書きにより記憶するが、該記憶は第５図に示され且つ第５図を参照して説明したのと同様の態様で実施される。この場合、一時記憶部５０は例えば２秒の最大記録時間を有することができる。
装置２が待ち記録モードに設定されており、且つ、当該装置２により形成されるディクテーションマシンのユーザがマイクロフォン６９に向かって話し始めると、敷居値検出器７８が十分な振幅の音声信号を検出し、起動情報ＡＩを作動手段４６に供給する。この起動情報ＡＩが発生すると、装置２は連続記録モードに設定され、該モードにおいては、作動手段４６が、第５図を参照して対応する場合について既に説明したように、記録情報信号Ｗの固体メモリ７１への連続記憶を実行する。
敷居値検出器７８における検出処理及び起動情報ＡＩの発生から記録情報信号Ｗの固体メモリ７１への実際の記録までの処理時間の結果、上記の音声により制御される連続記録モードは遅れて活性化されることになる。この音声により制御される連続記録モードの活性化の遅れは、例えば、１ないし２秒であり得る。幸いにも、一時記憶部５０に記録される記録情報信号Ｗは、第５図を参照して対応する場合について既に説明したように、固体メモリの他の領域に記録された記録情報信号と併合される。これにより、記録モードの音声により制御された活性化の場合、記録の開始時における音声信号の一部の損失も防止される。
第７図は、本発明の第３実施例による装置２を概念的に示し、該装置は信号源から供給されるデジタルデータを記録するための、例えばパーソナルコンピュータ等における、データ記憶装置として構成されている。装置２はデータライン７９によりデータ回路網に接続された情報信号入力端８を有し、上記データ回路網が信号源を形成あうる。上記データ回路網は、例えば、電話回路網、ケーブルテレビジョンシステム又はインターネットであり得る。このデータ回路網により供給されるデジタルデータは、テキストデータ、グラフィックデータ、音響データ又は他の情報データであり得る。情報信号入力端８に供給されたデジタルデータは、記録情報信号Ｗを供給するように構成された処理手段３３と、識別信号検出器８０とに供給することができる。記録キー７３を駆動することにより、待ち記録モードが活性化される。装置２は他の記録モード、即ち連続記録モードに設定することができるが、該モードについては後に詳述する。該記録モードにおいては、処理手段３３により供給される記録情報信号Ｗは光磁気ディスク８１に記憶することができ、該ディスクは記録担体を形成すると共に、当該ディスク８１用の保持手段を形成するＭＯデッキ８２に装填することができる。
再生モードにおいて光磁気ディスク８１から再生される再生情報信号Ｒは、作動手段４６の再生処理手段４７を介して出力信号処理手段３１に供給することができる。この出力信号処理手段３１により処理された再生情報信号Ｒは、当該装置２の出力端３２にデジタルデータとして供給することができる。出力端３２には、スピーカを含むモニタ８３を接続することができる。モニタ８３により上記デジタルデータは適当な形態で光学的に表示することができ、もし適用可能なら、これらデータは上記モニタのスピーカにより音響的に再生することができる。
装置２において、前記識別信号検出器は開始識別信号と停止識別信号とを検出するように構成されている。また、識別信号検出器８０は、該識別信号検出器８０が開始識別信号を検出すると起動情報ＡＩを供給するように構成されている。また、この識別信号検出器８０は、該識別信号検出器８０が停止識別信号を検出すると待ち情報ＷＩを供給するように構成されている。上記起動情報Ａ１及び待ち情報ＷＩは、共に、識別信号検出器８０により作動手段４６に供給することができる。第７図には図示しない態様で、当該装置のユーザは、上記開始識別信号及び停止識別信号の両方を所与の使用状況及び期待されるデジタルデータに適合させることができる。
或る使用状況では、上記デジタルデータは装置２の複数のユーザのためのメッセージを含むテキストデータであり得る。この場合、開始識別信号は、装置２のユーザを識別し、且つ、例えば該ユーザの名前を含むような識別信号により形成される。この例の場合は、他の名前に関する開始識別信号が各装置２の識別信号検出器８０において定義される。一様な名前に関する停止識別信号を、全ての装置２に関して定義することができる。データ回路網により伝送されたデジタルデータは、該データ回路網に接続された全ての装置２により受信される。当該装置２のユーザが、上記データ回路網から該ユーザ宛のメッセージを伴うデジタルデータを期待する場合は、記録キー７３の駆動により待ち記録モードを活性化することができる。この待ち記録モードにおいては、記録情報信号Ｗは、第５図に示したものに対応する態様で、連続重ね書きにより一時記憶部５０に記憶することができる。
識別信号検出器８０が受信されたデジタルデータ中に所与の開始識別信号を検出すると、該識別信号検出器８０は起動情報ＡＩを作動手段４６に供給し、この結果、連続記録モードが活性化される。この連続記録モードにおいては、記録情報信号Ｗは、第５図を参照して説明したものに対応するような態様で、光磁気ディスク８１に記憶することができる。上記所与の開始識別信号に後続し且つ当該装置２のユーザ用のメッセージを含むデジタルデータは、識別信号検出器８０が停止識別信号を検出するまで、連続記録モードで光磁気ディスク８１に記憶される。この装置２により形成されるデータ記憶装置は、デジタルデータ中で所与の開始識別信号が発生した場合、識別信号検出器８０及び作動手段４６内での処理時間のために、記録が開始された時にメッセージの何れかの部分が失われてしまうということがないという利点を有している。何故なら、一時記憶部５０に記憶される記録情報信号Ｗは光磁気ディスク８１の他の領域に記憶された記録情報信号と併合されるからである。この結果として、当該装置２のユーザのためのメッセージは、当該メッセージの開始部の如何なる部分も失われることなく装置２の光磁気ディスク８１上に集められる。これらメッセージは、モニタ８３により、再生キー７６を駆動することにより任意の後の時点で当該装置２のユーザにより再生することができる。
ここで、開始識別信号は、他の例として、コンピュータグラフィックスプログラムによる或るグラフ、或るパターン又は或るロゴにより表される或る一連のデジタルデータにより形成することもできることに注意されたい。同様に、開始識別信号は、デジタル化された音声信号のワードに対応する或る一連のデジタルデータにより形成することもできる。この場合、上記或る一連のデジタルデータを検出すると、記録の開始時に情報信号の如何なる部分も失われることなしに、連続記録モードが活性化される。
第８図は本発明の第４実施例による装置２を概念的に示し、該装置は、非常に長い監視期間の間、監視カメラ８４からのビデオ信号を記録するビデオレコーダとして構成されている。装置２の情報信号入力端８に供給されたビデオ信号は、入力処理手段３７と記録処理手段３８とを含む処理手段３３に供給することができ、該処理手段３３は記録情報信号Ｗを供給するように構成されている。装置２は磁気テープカセット５を保持するように構成された保持手段７０を有し、該保持手段からは先に挿入された磁気テープカセット５を再び取り除くことができる。磁気テープカセット５は、記録担体を形成する磁気テープ８５を収容している。既知の方法で、記録情報信号Ｗは磁気テープ８５上に記録することができ、該磁気テープの速度は制御手段４８により２つの作動結合部２９及び３０を介して制御される。第９図は、記録情報信号Ｗが記録され、且つ、一時記憶部５０及び他の一時記憶部８６を形成する磁気テープ８５の領域を示している。
記録キー７３の駆動により、待ち情報８７を作動手段４６に供給することができ、その結果、待ち記録モードが当該装置２内で活性化される。作動手段４６は、待ち記録モードにおいては、記録情報信号を連続重ね書きにより一時記憶部５０内の情報信号パケットＩＰ1に記録するよう構成されている。この場合、一時記憶部５０は例えば５分なる最大記録時間を有することができる。
第８図に示す装置２は動きセンサ８９に接続された検出器入力端８８を有し、該センサは監視カメラ８４の直ぐ近傍に配置されると共に、例えば、５メートルの範囲内の動きが検出されるのを可能とし、且つ、動きが検出されると検出結果を検出器入力端８８に供給する。検出器入力端８８は作動手段４６に接続され、かくして、上記のような検出結果が作動手段４６に起動情報９０として供給されるようにする。作動手段４６は起動情報９０が発生するとアドレス情報ＡＤを後続点アドレスパケットＩＮ1に記録するように構成され、該アドレス情報ＡＤは、上記起動情報９０の発生後に記録情報信号Ｗが磁気テープ８５上のどの位置から情報信号パケットＩＰ2として記録されるかを規定する。後続点アドレスパケットＩＮ1内のアドレス情報により特定される磁気テープ８５上の該位置は、後続点ポインタリンク９１により記号的に印されている。
装置２は、更に、タイマ９２を有し、該タイマは上記起動情報９０の発生後の所定期間の経過時点で（例えば、２分後に）、他の待ち情報９３を作動手段４６に供給する。この他の待ち情報９３が現れると、作動手段４６は磁気テープ８５の或る領域を他の一時記憶部８６として定義する。
この待ち記録モードにおいては、上記動きセンサ８９からの適切な駆動に応答して、作動手段４６は、他の起動情報９４が発生するまで、記録情報信号Ｗを連続重ね書きにより信号情報パケットＩＰ3に記録する。上記他の起動情報９４が発生すると、アドレス情報ＡＤを後続点アドレスパケットＩＮ3に記録することができ、このアドレス情報ＡＤは、上記他の起動情報９４の発生後に、記録情報信号Ｗが磁気テープ８５上のどの位置から情報信号パケットＩＰ4内に記録されるかを規定する。記録情報信号Ｗが情報信号パケットＩＰ4内に記録される上記位置は、他の後続点ポインタリンク９５により印されている。
このように、監視カメラ８４により供給されるビデオ信号は最初一時記憶部５０に記録され、そして動きセンサ８９が該動きセンサ８９の検出範囲内で動きを検出すると、記録は情報信号パケットＩＰ2で継続されるようになる。更に、再生の間では、動きセンサ８９による動きの検出前に監視カメラ８４からのビデオ信号がプリロール時間の間記録されている併合部９６を、情報信号パケットＩＰ2に記録された記録情報信号Ｗの前に再生することができるようになる。同様に、再生の間には、他の併合部９７を、情報信号パケットＩＰ2の再生の後であって情報信号パケットＩＰ4の再生前に再生することができる。このように、簡単な方法で、ビデオ信号が磁気テープ８５上に起動情報９０又は９４の発生前に記録され、信号品質は付加的な記録及び再生処理により劣化することがないようになる。更に、記録担体の領域を一時記憶部として使用する結果、別個の一時記憶部が不要となった安価なビデオレコーダが得られる。
再生モードは、再生キー７６を駆動することにより活性化される。再生モードが活性状態の場合、再生情報信号Ｒを磁気テープ８５から再生することができる位置は、位置決めキー７５により規定することができる。このようにして、情報信号パケットＩＰ1及びＩＰ3のうちの２つの一時記憶部５０及び８６内には在るが、２つの併合部９６及び９７にはない部分を再生することも可能である。結果として、２つの併合部９６及び９７からの再生情報信号Ｒの再生時間により支配されるプリロール時間が、監視カメラ８４からのビデオ信号の正確な調査にとって短過ぎる場合は、該プリロール時間は上記２つの一時記憶部５０及び８６の全記録時間まで延長することができる。逆に、２つの併合部９６及び９７のプリロール時間が十分であれば、監視カメラ８４からのビデオ信号を、動きセンサ８９からの検出結果の発生前及び動きセンサ８９からの検出結果の発生後の両方において再生することができるのが、当該装置２のユーザにとって便利である。
尚、第１図に示した装置で設けられたように、連結キーを第８図に示す装置２に設ける結果、プリロール時間は、後続点アドレスパケットＩＮ1に含まれるアドレス情報ＡＤが併合部９６における位置決めキー７５により選択される位置に記憶されるようにして、後で減少させることもできることに注意されたい。
【図１】
0004060373.tif 000002
【図２】
0004060373.tif 000003
【図３】
0004060373.tif 000004
【図４】
0004060373.tif 000005
【図５】
0004060373.tif 000006
【図６】
0004060373.tif 000007
【図７】
0004060373.tif 000008
【図８】
0004060373.tif 000009
【図９】
0004060373.tif 000010